(57)【要約】      （修正有）【課題】方向転換が容易でなく、各機種の打刀ユニットに適用できなかった問題点を改善する大型メカ連動式打刀加工機の工具交換駆動装置を提供する。【解決手段】大型メカ連動式打刀加工機の工具交換駆動装置Ａは、ベース１０、駆動モータ１１、軸棒１２、駆動傘歯車２０、従動傘歯車２１、受座３０、スライドベース３１、駆動歯車４０、従動歯車４１及び方向転換歯車４２を備える。ベース１０は、メカ連動式打刀加工機のカムボックスに結合される。駆動モータ１１は、ベース１０に結合される。軸棒１２は、ベース１０中に設けられるとともに、駆動モータ１１の回転軸に同軸に結合される。軸棒１２の端部には、カムボックスを駆動して工具交換アームを適宜な位置まで揺動させるカムボックス駆動歯車１２０が結合される。駆動傘歯車２０は、ベース１０中に設けられるとともに、軸棒１２に同軸に結合される。【選択図】図１
0003221915.tif 000002
【実用新案登録請求の範囲】
【請求項１】
ベース、駆動モータ、軸棒、駆動傘歯車、従動傘歯車、受座、スライドベース、駆動歯車、従動歯車及び方向転換歯車を備えた大型メカ連動式打刀加工機の工具交換駆動装置であって、
前記ベースは、メカ連動式打刀加工機のカムボックスに結合され、
前記駆動モータは、前記ベースに結合され、
前記軸棒は、前記ベース中に設けられるとともに、前記駆動モータの回転軸に同軸に結合され、前記軸棒の端部には、前記カムボックスを駆動して工具交換アームを適宜な位置まで揺動させるカムボックス駆動歯車が結合され、
前記駆動傘歯車は、前記ベース中に設けられるとともに、前記軸棒に同軸に結合され、
前記従動傘歯車は、前記ベース中で旋回可能に結合された接続軸を有するとともに、前記駆動傘歯車と噛合し、
前記受座は、一方の端部が前記ベースに結合されるとともに、前記接続軸が挿設され、前記受座の他方の端部には、穿孔が形成され、
前記スライドベースは、前記接続軸との間の距離が調整可能に前記受座の他方の端部に結合され、
前記駆動歯車は、前記接続軸の端部に同軸に結合され、
前記従動歯車は、前記穿孔に挿設されて前記スライドベースに旋回可能に結合された出力軸が中央部に結合され、前記出力軸の外端には、前記メカ連動式打刀加工機の打刀ユニットの従動係合部材が係合された駆動部材が結合され、
前記方向転換歯車は、前記受座上に着脱可能に旋回可能に結合され、前記駆動歯車及び前記従動歯車にそれぞれ噛合されることを特徴とする大型メカ連動式打刀加工機の工具交換駆動装置。
【請求項２】
前記受座は、軸柱を有し、
前記方向転換歯車は、前記軸柱上に旋回可能に同軸に結合されることを特徴とする請求項１に記載の大型メカ連動式打刀加工機の工具交換駆動装置。
【請求項３】
前記スライドベースは、複数の長尺状孔を有し、
前記長尺状孔には、複数の螺着ねじがそれぞれ挿通されて前記受座にねじ止めされ、前記スライドベースから前記接続軸までの距離を調整し得ることを特徴とする請求項１に記載の大型メカ連動式打刀加工機の工具交換駆動装置。
【請求項４】
前記受座の一側面には、調整ねじがねじ止めされ、
前記調整ねじの一端は、前記スライドベースにねじ止めされ、前記調整ねじのねじ止めにより前記受座上での前記スライドベースの移動距離を正確に調整し得ることを特徴とする請求項３に記載の大型メカ連動式打刀加工機の工具交換駆動装置。
【請求項５】
前記穿孔は矩形状であることを特徴とする請求項４に記載の大型メカ連動式打刀加工機の工具交換駆動装置。
【請求項６】
サイドカバーをさらに備え、
前記サイドカバーは、前記受座の一側に結合され、内部に配設された前記駆動歯車、前記従動歯車及び前記方向転換歯車を覆い、
前記サイドカバーには、前記駆動部材が挿設されてそこから外側に突出される貫通孔が形成されていることを特徴とする請求項１に記載の大型メカ連動式打刀加工機の工具交換駆動装置。
【考案の詳細な説明】
【技術分野】
【０００１】
本考案は、大型メカ連動式打刀加工機の工具交換駆動装置に関し、特に、大きめの駆動力を有して大型メカ連動式打刀加工機に適用し、必要に応じて容易に駆動方向を転換し、各機種の打刀ユニットの大型メカ連動式打刀加工機の工具交換駆動装置に関する。
【背景技術】
【０００２】
従来のメカ連動式打刀加工機の工具交換駆動装置（例えば、出願人が以前出願した特許文献１）は、駆動歯車と、従動歯車と、駆動歯車及び従動歯車上に巻き掛けられたチェーンと、を利用し、従来のチェーンが受ける力が有限であり、同様に駆動力を伝達する媒介としてチェーンを用いると、小さい駆動力のみを用い、受ける力が大きくなりすぎると、チェーンが断裂してしまう虞があるため、従来の工具交換駆動装置は、小型のメカ連動式打刀加工機にしか適用できず、大型のメカ連動式打刀加工機には適用できなかった。また、チェーンを一定時間使用すると、延びて緩くなる状況が発生することがあるため、チェーンの張力を頻繁に調整しなければならならず、加工の効率及び精度に影響を与えることがあった。特に、駆動歯車と、従動歯車と、駆動歯車及び従動歯車上に巻き掛けられたチェーンと、を利用して伝動し、駆動歯車が必ず従動歯車と同じ方向に回転するため、異なる方向に回転させなければならない打刀ユニットの機種には適用できなかった。
【０００３】
こうした現状に鑑み、本考案者は鋭意研究を重ね、改良と試作を行った結果、本考案を完成したものである。
【先行技術文献】
【特許文献】
【０００４】
【特許文献１】台湾特許第Ｉ６３７８０９号公報
【考案の概要】
【考案が解決しようとする課題】
【０００５】
本考案の主な目的は、従来のメカ連動式打刀加工機の工具交換駆動装置では、大型の装置に適用できない上、方向転換が容易でなく、各機種の打刀ユニットに適用できなかった問題点を改善する大型メカ連動式打刀加工機の工具交換駆動装置を提供することにある。
【課題を解決するための手段】
【０００６】
上記課題を解決するために、本考案の第１の形態によれば、ベース、駆動モータ、軸棒、駆動傘歯車、従動傘歯車、受座、スライドベース、駆動歯車、従動歯車及び方向転換歯車を備えた大型メカ連動式打刀加工機の工具交換駆動装置であって、前記ベースは、メカ連動式打刀加工機のカムボックスに結合され、前記駆動モータは、前記ベースに結合され、前記軸棒は、前記ベース中に設けられるとともに、前記駆動モータの回転軸に同軸に結合され、前記軸棒の端部には、前記カムボックスを駆動して工具交換アームを適宜な位置まで揺動させるカムボックス駆動歯車が結合され、前記駆動傘歯車は、前記ベース中に設けられるとともに、前記軸棒に同軸に結合され、前記従動傘歯車は、前記ベース中で旋回可能に結合された接続軸を有するとともに、前記駆動傘歯車と噛合し、前記受座は、一方の端部が前記ベースに結合されるとともに、前記接続軸が挿設され、前記受座の他方の端部には、穿孔が形成され、前記スライドベースは、前記接続軸との間の距離が調整可能に前記受座の他方の端部に結合され、前記駆動歯車は、前記接続軸の端部に同軸に結合され、前記従動歯車は、前記穿孔に挿設されて前記スライドベースに旋回可能に結合された出力軸が中央部に結合され、前記出力軸の外端には、前記メカ連動式打刀加工機の打刀ユニットの従動係合部材が係合された駆動部材が結合され、前記方向転換歯車は、前記受座上に着脱可能に旋回可能に結合され、前記駆動歯車及び前記従動歯車にそれぞれ噛合されることを特徴とする大型メカ連動式打刀加工機の工具交換駆動装置が提供される。
【考案の効果】
【０００７】
本考案の大型メカ連動式打刀加工機の工具交換駆動装置は、駆動歯車、従動歯車及び方向転換歯車が高剛性を有して大きめの動力に耐え得る特性を有し、大型メカ連動式打刀加工機に適用することができる。特に、方向転換歯車の着脱及び従動歯車の移動調整を簡便かつ迅速に行うことができるため、方向転換歯車を外してから従動歯車を移動させて駆動歯車に噛合させると、容易かつ迅速に従動歯車の回転方向を変えることができる。そのため、各機種の打刀ユニットに適用できる。
【図面の簡単な説明】
【０００８】
【図１】図１は、本考案の一実施形態に係る大型メカ連動式打刀加工機の工具交換駆動装置を示す分解斜視図。
【図２】図２は、本考案の一実施形態に係る大型メカ連動式打刀加工機の工具交換駆動装置を示す組立斜視図。
【図３】図３は、本考案の一実施形態に係る大型メカ連動式打刀加工機の工具交換駆動装置のサイドカバーを開けた状態を示す分解斜視図。
【図４】図４は、図３を背面から見たときの斜視図。
【図５】図５は、本考案の一実施形態に係る大型メカ連動式打刀加工機の工具交換駆動装置を示す組立断面図。
【図６】図６は、本考案の一実施形態に係る大型メカ連動式打刀加工機の工具交換駆動装置の第１の動作の説明図。
【図７】図７は、本考案の一実施形態に係る大型メカ連動式打刀加工機の工具交換駆動装置の第２の動作の説明図。
【図８】図８は、本考案の一実施形態に係る大型メカ連動式打刀加工機の工具交換駆動装置のスライドベースの動作状態を示す説明図。
【図９】図９は、本考案の一実施形態に係る大型メカ連動式打刀加工機が工具を交換していない状態を示す斜視図。
【図１０】図１０は、本考案の一実施形態に係る大型メカ連動式打刀加工機が工具を交換する状態を示す斜視図。
【考案を実施するための形態】
【０００９】
図１〜図５を参照する。図１〜図５に示すように、本考案の一実施形態に係る大型メカ連動式打刀加工機の工具交換駆動装置Ａは、少なくともベース１０、駆動モータ１１、軸棒１２、駆動傘歯車２０、従動傘歯車２１、受座３０、スライドベース３１、駆動歯車４０、従動歯車４１、方向転換歯車４２及びサイドカバー５０から構成されてなる。
【００１０】
ベース１０は、カムボックス６０に結合される（図９及び図１０を参照する）。
【００１１】
駆動モータ１１は、ベース１０に結合される。
【００１２】
軸棒１２は、ベース１０中に設けられるとともに、駆動モータ１１の回転軸に同軸に結合され、駆動モータ１１により旋回される。軸棒１２の端部には、カムボックス駆動歯車１２０が結合され、カムボックス６０を駆動して工具交換アーム６１を適宜な位置になるまで揺動させる（図９及び図１０を参照する）。
【００１３】
駆動傘歯車２０は、ベース１０中に設けられるとともに、軸棒１２に同軸に結合される。
【００１４】
従動傘歯車２１は、ベース１０内で旋回可能に結合された接続軸２１０を有する。従動傘歯車２１は、駆動傘歯車２０と噛合する。
【００１５】
受座３０は、一方の端部がベース１０に結合されるとともに、接続軸２１０が挿設される。受座３０は、軸柱３００を有するとともに、複数の結合ねじ３０１を介してベース１０上にねじ止めされる。受座３０の他方の端部には、矩形状の穿孔３０２が形成される。
【００１６】
スライドベース３１は、受座３０の他方の端部に対応した穿孔３０２に結合される。スライドベース３１は、複数の長尺状孔３１０を有し、複数の螺着ねじ３１１を挿通させて受座３０上にねじ止めし、スライドベース３１から接続軸２１０までの距離を調整することができる。また、受座３０の一側面上には、調整ねじ３１２がねじ止めされる。調整ねじ３１２の一端は、スライドベース３１にねじ止めされ、調整ねじ３１２のねじ止めにより受座３０上でのスライドベース３１の移動距離を正確に調整することができる。
【００１７】
駆動歯車４０は、接続軸２１０の端部に同軸に結合される。
【００１８】
従動歯車４１は、中央部に出力軸４１０が結合され、出力軸４１０が穿孔３０２に挿設されてスライドベース３１に旋回可能に結合される。出力軸４１０の外端には、打刀ユニット７０の従動係合部材７１が係合される駆動部材４１１が結合される（図９及び図１０を参照する）。
【００１９】
方向転換歯車４２は、軸柱３００上に容易に着脱可能に同軸に結合され、駆動歯車４０及び従動歯車４１にそれぞれ噛合される。
【００２０】
サイドカバー５０は、受座３０の一側に結合され、内部に配設された駆動歯車４０、従動歯車４１及び方向転換歯車４２を覆う。サイドカバー５０には、駆動部材４１１が挿設されてそこから外側に突出される貫通孔５１が形成されている。
【００２１】
図３及び図６を参照する。図３及び図６に示すように、駆動歯車４０は、方向転換歯車４２を介して従動歯車４１を同じ方向へ旋回させる。
【００２２】
図４、図７及び図８を参照する。図４、図７及び図８に示すように、方向転換歯車４２を軸柱３００上から外した後、複数の螺着ねじ３１１を緩めてから、調整ねじ３１２により受座３０上のスライドベース３１の移動距離を調整し、従動歯車４１を駆動歯車４０へ近づけて噛合させてから、複数の螺着ねじ３１１を締め付ける。そのため、この駆動歯車４０は、従動歯車４１を直接、反対方向へ旋回させることができる。
【００２３】
図９及び図１０を参照する。図９及び図１０に示すように、本実施形態の工具交換駆動装置Ａをカムボックス６０に取り付けると、駆動部材４１１は、主軸ユニット８０を介して打刀ユニット７０を一定距離上昇させて打刀ユニット７０の従動係合部材７１を正確に係合させ、同軸状態の位置にすることができる。
【００２４】
本実施形態が提供する大型メカ連動式打刀加工機の工具交換駆動装置は、大きめの動力を受ける駆動歯車４０、従動歯車４１及び方向転換歯車４２により、従来の駆動歯車、従動歯車及びチェーンを代替するため、大型メカ連動式打刀加工機に適用できる上、現有する従来のメカ連動式打刀加工機の工具交換駆動装置に直接応用し、製造コストを大幅に減らすことができる。特に、方向転換歯車４２の着脱及び従動歯車４１の移動調整を簡便かつ迅速に行うことができるため、方向転換歯車４２を外して従動歯車４１を移動して駆動歯車４０と噛合させると、従動歯車４１の回転方向を容易かつ迅速に転換することができる。そのため、各機種の打刀ユニットに適用できる。また、異なる歯数比に容易に変えることができる駆動歯車４０、従動歯車４１及び方向転換歯車４２により各機種に合致させることができ、交換及び組立を容易かつ迅速に行うことができる上、従来のようにチェーンが伸びて頻繁に調整しなければならないという問題点もない。
【００２５】
当該分野の技術を熟知するものが理解できるように、本考案の好適な実施形態を前述の通り開示したが、これらは決して本考案を限定するものではない。本考案の主旨と領域を逸脱しない範囲内で各機種の変更や修正を加えることができる。従って、本考案の実用新案登録請求の範囲は、このような変更や修正を含めて広く解釈されるべきである。
【符号の説明】
【００２６】
１０  ベース
１１  駆動モータ
１２  軸棒
２０  駆動傘歯車
２１  従動傘歯車
３０  受座
３１  スライドベース
４０  駆動歯車
４１  従動歯車
４２  方向転換歯車
５０  サイドカバー
５１  貫通孔
６０  カムボックス
６１  工具交換アーム
７０  打刀ユニット
７１  従動係合部材
８０  主軸ユニット
１２０  カムボックス駆動歯車
２１０  接続軸
３００  軸柱
３０１  結合ねじ
３０２  穿孔
３１０  長尺状孔
３１１  螺着ねじ
３１２  調整ねじ
４１０  出力軸
４１１  駆動部材
Ａ  工具交換駆動装置
【図１】
0003221915.tif 000003
【図２】
0003221915.tif 000004
【図３】
0003221915.tif 000005
【図４】
0003221915.tif 000006
【図５】
0003221915.tif 000007
【図６】
0003221915.tif 000008
【図７】
0003221915.tif 000009
【図８】
0003221915.tif 000010
【図９】
0003221915.tif 000011
【図１０】
0003221915.tif 000012